【手続補正書】
【提出日】平成28年12月2日(2016.12.2)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
スケジューリングメッセージを１つまたは複数の局に送信することと、前記スケジューリングメッセージは、前記スケジューリングメッセージに応答して局情報メッセージを送信するように前記１つまたは複数の局に要求し、
複数の局情報メッセージを受信することと、前記局情報メッセージは局情報を示し、ここにおいて、前記局情報は、トラフィック指示（ＴＩＤ）ごとのバッファ情報、および要求される変調およびコーディング方式（ＭＣＳ）のうちの１つまたは複数を含み、
媒体アクセス制御多ユーザ（ＭＡＣ  ＭＵ）スケジューリングメッセージを２つ以上の局に送信することと、前記ＭＡＣ  ＭＵスケジューリングメッセージは、物理層データユニット（ＰＰＤＵ）のペイロード部分に含まれ、アップリンク送信機会を示し、特定の時間においてアップリンクデータを同時に送信するように前記２つ以上の局に要求する、
を備える方法。
【請求項２】
前記スケジューリングメッセージはＭＡＣ  ＭＵスケジューリングメッセージを備える、請求項１に記載の方法。
【請求項３】
前記スケジューリングメッセージは、局情報のみが要求されることを示す前記アップリンクデータ送信に対してある長さの時間を割り振る、請求項２に記載の方法。
【請求項４】
前記スケジューリングメッセージはダウンリンク多ユーザパケットを備える、請求項１に記載の方法。
【請求項５】
前記ダウンリンク多ユーザパケットは、多ユーザ多入力多出力（ＭＵ  ＭＩＭＯ）パケットを備える、請求項４に記載の方法。
【請求項６】
少なくとも１つの局情報メッセージは、レディツーセンド（ＲＴＸ）メッセージを備える、請求項１に記載の方法。
【請求項７】
前記ＲＴＸは、宛先および／または持続時間フィールドを省略する、請求項６に記載の方法。
【請求項８】
少なくとも１つの局情報メッセージは、ヌルデータパケット（ＮＤＰ）を備える、請求項１に記載の方法。
【請求項９】
少なくとも１つの局情報メッセージは、サービス品質（ＱｏＳ）ヌルフレームを備える、請求項１に記載の方法。
【請求項１０】
前記ＱｏＳヌルフレームは、追加の局情報を含むＱｏＳ制御フィールドを備える、請求項９に記載の方法。
【請求項１１】
前記ＱｏＳヌルフレームは、追加の局情報を含むシーケンス制御フィールドを備える、請求項９に記載の方法。
【請求項１２】
少なくとも１つの局情報メッセージは、ブロック確認応答（ＢＡＣＫ）を備える、請求項１に記載の方法。
【請求項１３】
前記局情報メッセージは、アップリンク（ＵＬ）多ユーザ（ＭＵ）多入力多出力（ＭＩＭＯ）メッセージ、ＵＬ  ＭＵ直交周波数分割多元接続（ＯＦＤＭＡ）メッセージ、スケジューリングされた時分割多元接続（ＴＤＭＡ）メッセージ、およびＵＬ  ＭＵ周波数分割多重化（ＦＤＭ）メッセージのうちの少なくとも１つを備える、請求項１に記載の方法。
【請求項１４】
ワイヤレスに通信するように構成される装置であって、
１つまたは複数の局へのスケジューリングメッセージを送信のために準備するように構成されるプロセッサと、前記スケジューリングメッセージは、前記スケジューリングメッセージに応答して局情報メッセージを送信するように前記１つまたは複数の局に要求し、
複数の局情報メッセージを受信するように構成される受信機と、前記局情報メッセージは局情報を示し、ここにおいて、前記局情報は、トラフィック指示（ＴＩＤ）ごとのバッファ情報、および要求される変調およびコーディング方式（ＭＣＳ）のうちの１つまたは複数を含み、
媒体アクセス制御多ユーザ（ＭＡＣ  ＭＵ）スケジューリングメッセージを２つ以上の局に送信するように構成される送信機と、前記ＭＡＣ  ＭＵスケジューリングメッセージは、物理層データユニット（ＰＰＤＵ）のペイロード部分に含まれ、アップリンク送信機会を示し、特定の時間においてアップリンクデータを同時に送信するように前記２つ以上の局に要求する、
を備える装置。
【請求項１５】
前記スケジューリングメッセージは、ＭＡＣ  ＭＵスケジューリングメッセージを備える、請求項１４に記載の装置。
【請求項１６】
前記スケジューリングメッセージは、局情報のみが要求されることを示す前記アップリンクデータ送信に対してある長さの時間を割り振る、請求項１５に記載の装置。
【請求項１７】
前記スケジューリングメッセージは、ダウンリンク多ユーザパケットを備える、請求項１４に記載の装置。
【請求項１８】
前記ダウンリンク多ユーザパケットは、多ユーザ多入力多出力（ＭＵ  ＭＩＭＯ）パケットを備える、請求項１７に記載の装置。
【請求項１９】
少なくとも１つの局情報メッセージは、レディツーセンド（ＲＴＸ）メッセージを備える、請求項１４に記載の装置。
【請求項２０】
前記ＲＴＸは、宛先および／または持続時間フィールドを省略する、請求項１９に記載の装置。
【請求項２１】
少なくとも１つの局情報メッセージは、ヌルデータパケット（ＮＤＰ）を備える、請求項１４に記載の装置。
【請求項２２】
少なくとも１つの局情報メッセージは、サービス品質（ＱｏＳ）ヌルフレームを備える、請求項１４に記載の装置。
【請求項２３】
前記ＱｏＳヌルフレームは、追加の局情報を含むＱｏＳ制御フィールドを備える、請求項２２に記載の装置。
【請求項２４】
前記ＱｏＳヌルフレームは、追加の局情報を含むシーケンス制御フィールドを備える、請求項２２に記載の装置。
【請求項２５】
少なくとも１つの局情報メッセージは、ブロック確認応答（ＢＡＣＫ）を備える、請求項１４に記載の装置。
【請求項２６】
前記局情報メッセージは、アップリンク（ＵＬ）多ユーザ（ＭＵ）多入力多出力（ＭＩＭＯ）メッセージ、ＵＬ  ＭＵ直交周波数分割多元接続（ＯＦＤＭＡ）メッセージ、スケジューリングされた時分割多元接続（ＴＤＭＡ）メッセージ、およびＵＬ  ＭＵ周波数分割多重化（ＦＤＭ）メッセージのうちの少なくとも１つを備える、請求項１４に記載の装置。
【請求項２７】
ワイヤレス通信のための装置であって、
スケジューリングメッセージを１つまたは複数の局に送信するための手段と、前記スケジューリングメッセージは、前記スケジューリングメッセージに応答して局情報メッセージを送信するように前記１つまたは複数の局に要求し、
複数の局情報メッセージを受信するための手段と、前記局情報メッセージは局情報を示し、ここにおいて、前記局情報は、トラフィック指示（ＴＩＤ）ごとのバッファ情報、および要求される変調およびコーディング方式（ＭＣＳ）のうちの１つまたは複数を含み、
媒体アクセス制御多ユーザ（ＭＡＣ  ＭＵ）スケジューリングメッセージを２つ以上の局に送信するための手段と、前記ＭＡＣ  ＭＵスケジューリングメッセージは、物理層データユニット（ＰＰＤＵ）のペイロード部分に含まれ、アップリンク送信機会を示し、特定の時間においてアップリンクデータを同時に送信するように前記２つ以上の局に要求する、
を備える装置。
【請求項２８】
実行されると、装置に、
スケジューリングメッセージを１つまたは複数の局へ送信させ、前記スケジューリングメッセージは、前記スケジューリングメッセージに応答して局情報メッセージを送信するように前記１つまたは複数の局に要求し、
複数の局情報メッセージを受信させ、前記局情報メッセージは局情報を示し、ここにおいて、前記局情報は、トラフィック指示（ＴＩＤ）ごとのバッファ情報、および要求される変調およびコーディング方式（ＭＣＳ）のうちの１つまたは複数を含み、
媒体アクセス制御多ユーザ（ＭＡＣ  ＭＵ）スケジューリングメッセージを２つ以上の局へ送信させるコードを備え、
前記ＭＡＣ  ＭＵスケジューリングメッセージは、物理層データユニット（ＰＰＤＵ）のペイロード部分に含まれ、アップリンク送信機会を示し、特定の時間においてアップリンクデータを同時に送信するように前記２つ以上の局に要求する、非一時的コンピュータ可読媒体。
【手続補正２】
【補正対象書類名】明細書
【補正対象項目名】０１３６
【補正方法】変更
【補正の内容】
【０１３６】
[0155]上記は、本開示の態様を対象とするが、本開示の基本的な範囲を逸脱することなく、本開示の他の態様およびさらなる態様が考案されてよく、本開示の範囲は以下の特許請求の範囲によって決定される。
以下に、本願出願の当初の特許請求の範囲に記載された発明を付記する。
［Ｃ１］
ワイヤレス通信の方法であって、
スケジューリングメッセージを１つまたは複数の局に送信することと、前記スケジューリングメッセージは、前記スケジューリングメッセージに応答して局情報メッセージを送信するように前記１つまたは複数の局に要求し、
複数の局情報メッセージを受信することと、前記局情報メッセージは局情報を示し、
媒体アクセス制御多ユーザ（ＭＡＣ  ＭＵ）スケジューリングメッセージを２つ以上の局に送信することと、前記ＭＡＣ  ＭＵスケジューリングメッセージは、物理層データユニット（ＰＰＤＵ）のペイロード部分に含まれ、アップリンク送信機会を示し、特定の時間においてアップリンクデータを同時に送信するように前記２つ以上の局に要求し、
を備える方法。
［Ｃ２］
前記スケジューリングメッセージはＭＡＣ  ＭＵスケジューリングメッセージを備える、Ｃ１に記載の方法。
［Ｃ３］
前記スケジューリングメッセージは、局情報のみが要求されることを示す前記アップリンクデータ送信に対してある長さの時間を割り振る、Ｃ２に記載の方法。
［Ｃ４］
前記スケジューリングメッセージはダウンリンク多ユーザパケットを備える、Ｃ１に記載の方法。
［Ｃ５］
前記ダウンリンク多ユーザパケットは、多ユーザ多入力多出力（ＭＵ  ＭＩＭＯ）パケットを備える、Ｃ４に記載の方法。
［Ｃ６］
前記局情報は、トラフィック指示（ＴＩＤ）ごとのバッファ情報、送信電力、および要求される変調およびコーディング方式（ＭＣＳ）のうちの１つまたは複数を含む、Ｃ１に記載の方法。
［Ｃ７］
少なくとも１つの局情報メッセージは、レディツーセンド（ＲＴＸ）メッセージを備える、Ｃ１に記載の方法。
［Ｃ８］
前記ＲＴＸは、宛先および／または持続時間フィールドを省略する、Ｃ７に記載の方法。
［Ｃ９］
少なくとも１つの局情報メッセージは、ヌルデータパケット（ＮＤＰ）を備える、Ｃ１に記載の方法。
［Ｃ１０］
少なくとも１つの局情報メッセージは、サービス品質（ＱｏＳ）ヌルフレームを備える、Ｃ１に記載の方法。
［Ｃ１１］
前記ＱｏＳヌルフレームは、追加の局情報を含むＱｏＳ制御フィールドを備える、Ｃ１０に記載の方法。
［Ｃ１２］
前記ＱｏＳヌルフレームは、追加の局情報を含むシーケンス制御フィールドを備える、Ｃ１０に記載の方法。
［Ｃ１３］
少なくとも１つの局情報メッセージは、ブロック確認応答（ＢＡＣＫ）を備える、Ｃ１に記載の方法。
［Ｃ１４］
前記局情報メッセージは、アップリンク（ＵＬ）多ユーザ（ＭＵ）多入力多出力（ＭＩＭＯ）メッセージ、ＵＬ  ＭＵ直交周波数分割多元接続（ＯＦＤＭＡ）メッセージ、スケジューリングされた時分割多元接続（ＴＤＭＡ）メッセージ、およびＵＬ  ＭＵ周波数分割多重化（ＦＤＭ）メッセージのうちの少なくとも１つを備える、Ｃ１に記載の方法。
［Ｃ１５］
ワイヤレスに通信するように構成される装置であって、
１つまたは複数の局への送信スケジューリングメッセージを準備するように構成されるプロセッサと、前記スケジューリングメッセージは、前記スケジューリングメッセージに応答して局情報メッセージを送信するように前記１つまたは複数の局に要求し、
複数の局情報メッセージを受信するように構成される受信機と、前記局情報メッセージは局情報を示し、
媒体アクセス制御多ユーザ（ＭＡＣ  ＭＵ）スケジューリングメッセージを２つ以上の局に送信するように構成される送信機と、前記ＭＡＣ  ＭＵスケジューリングメッセージは、物理層データユニット（ＰＰＤＵ）のペイロード部分に含まれ、アップリンク送信機会を示し、特定の時間においてアップリンクデータを同時に送信するように前記２つ以上の局に要求し、
を備える装置。
［Ｃ１６］
前記スケジューリングメッセージは、ＭＡＣ  ＭＵスケジューリングメッセージを備える、Ｃ１５に記載の装置。
［Ｃ１７］
前記スケジューリングメッセージは、局情報のみが要求されることを示す前記アップリンクデータ送信に対してある長さの時間を割り振る、Ｃ１６に記載の装置。
［Ｃ１８］
前記スケジューリングメッセージは、ダウンリンク多ユーザパケットを備える、Ｃ１５に記載の装置。
［Ｃ１９］
前記ダウンリンク多ユーザパケットは、多ユーザ多入力多出力（ＭＵ  ＭＩＭＯ）パケットを備える、Ｃ１８に記載の装置。
［Ｃ２０］
前記局情報は、トラフィック指示（ＴＩＤ）ごとのバッファ情報、送信電力、および要求される変調およびコーディング方式（ＭＣＳ）のうちの１つまたは複数を含む、Ｃ１５に記載の装置。
［Ｃ２１］
少なくとも１つの局情報メッセージは、レディツーセンド（ＲＴＸ）メッセージを備える、Ｃ１５に記載の装置。
［Ｃ２２］
前記ＲＴＸは、宛先および／または持続時間フィールドを省略する、Ｃ２１に記載の装置。
［Ｃ２３］
少なくとも１つの局情報メッセージは、ヌルデータパケット（ＮＤＰ）を備える、Ｃ１５に記載の装置。
［Ｃ２４］
少なくとも１つの局情報メッセージは、サービス品質（ＱｏＳ）ヌルフレームを備える、Ｃ１５に記載の装置。
［Ｃ２５］
前記ＱｏＳヌルフレームは、追加の局情報を含むＱｏＳ制御フィールドを備える、Ｃ２４に記載の装置。
［Ｃ２６］
前記ＱｏＳヌルフレームは、追加の局情報を含むシーケンス制御フィールドを備える、Ｃ２４に記載の装置。
［Ｃ２７］
少なくとも１つの局情報メッセージは、ブロック確認応答（ＢＡＣＫ）を備える、Ｃ１５に記載の装置。
［Ｃ２８］
前記局情報メッセージは、アップリンク（ＵＬ）多ユーザ（ＭＵ）多入力多出力（ＭＩＭＯ）メッセージ、ＵＬ  ＭＵ直交周波数分割多元接続（ＯＦＤＭＡ）メッセージ、スケジューリングされた時分割多元接続（ＴＤＭＡ）メッセージ、およびＵＬ  ＭＵ周波数分割多重化（ＦＤＭ）メッセージのうちの少なくとも１つを備える、Ｃ１５に記載の装置。
［Ｃ２９］
ワイヤレス通信のための装置であって、
スケジューリングメッセージを１つまたは複数の局に送信するための手段と、前記スケジューリングメッセージは、前記スケジューリングメッセージに応答して局情報メッセージを送信するように前記１つまたは複数の局に要求し、
複数の局情報メッセージを受信するための手段と、前記局情報メッセージは局情報を示し、
媒体アクセス制御多ユーザ（ＭＡＣ  ＭＵ）スケジューリングメッセージを２つ以上の局に送信するための手段と、前記ＭＡＣ  ＭＵスケジューリングメッセージは、物理層データユニット（ＰＰＤＵ）のペイロード部分に含まれ、アップリンク送信機会を示し、特定の時間においてアップリンクデータを同時に送信するように前記２つ以上の局に要求し、
を備える装置。
［Ｃ３０］
実行されると、装置に、
スケジューリングメッセージを１つまたは複数の局へ送信させ、前記スケジューリングメッセージは、前記スケジューリングメッセージに応答して局情報メッセージを送信するように前記１つまたは複数の局に要求し、
複数の局情報メッセージを受信させ、前記局情報メッセージは局情報を示し、
媒体アクセス制御多ユーザ（ＭＡＣ  ＭＵ）スケジューリングメッセージを２つ以上の局へ送信させるコードを備え、
前記ＭＡＣ  ＭＵスケジューリングメッセージは、物理層データユニット（ＰＰＤＵ）のペイロード部分に含まれ、アップリンク送信機会を示し、特定の時間においてアップリンクデータを同時に送信するように前記２つ以上の局に要求する、非一時的コンピュータ可読媒体。